(57)【特許請求の範囲】
【請求項１】
カルボキシル基を有する悪臭成分に対する消臭に有効な消臭剤であって、
全オイル成分の内、ヒノキ枝葉精油成分を５０％以上７７％以下含み、α−テルピネオールを２３％以上５０％以下含むとともに、
消臭剤中の全オイル成分をノナン酸に重量比で１：２に混合した際、ノナン酸のみのラマンスペクトルにおいてそのカルボキシル基ピークの極大が現れる波数でノナン酸ラマンスペクトルから該混合物のラマンスペクトルを差し引いて得た差スペクトルのカルボキシル基ピークを、前記極大が現れる波数である１６５０ｃｍ−１にて２分した際、高波数側ピーク面積が低波数側ピーク面積の２．２倍以上３．１倍以下となる
ことを特徴とするオイル成分を含むことを特徴とする消臭剤。
【請求項２】
全オイル成分の内、ヒノキ枝葉精油成分を５０％以上７７％以下含み、α−テルピネオールを２３％以上５０％以下含むとともに、
消臭剤中の全オイル成分をノナン酸に重量比で１：２に混合した際、ノナン酸のみのラマンスペクトルにおいてそのカルボキシル基ピークの極大が現れる波数でノナン酸ラマンスペクトルから該混合物のラマンスペクトルを差し引いて得た差スペクトルのカルボキシル基ピークを、前記極大が現れる波数である１６５０ｃｍ−１にて２分した際、高波数側ピーク面積が低波数側ピーク面積の２．２倍以上３．１倍以下となる
消臭剤を用いて、
カルボキシル基を有する悪臭成分に対する消臭を行う
ことを特徴とする消臭方法。
【発明の詳細な説明】
【技術分野】
【０００１】
本発明は、体臭、足臭、タバコ臭、ペット臭、生ゴミなど広範囲な悪臭に対して優れた消臭性を有する消臭剤、消臭方法に関する。
【背景技術】
【０００２】      居室、トイレ、玄関等の生活空間や衣類、ソファ、カーテン等の繊維製品等の悪臭を消臭の目的や、犬・猫等のペット臭の低減、台所間周りに関わる生ゴミ臭の拡散防止のために、スプレーや超音波振動子による噴霧タイプ、あるいは吸い上げ揮散タイプの芳香・消臭剤が利用されている。このような芳香・消臭剤は主に水をベースとしており、その中に植物精油などの油性の香料や消臭成分を、必要に応じて界面活性剤やグリコールエーテル類などの水溶性溶剤によって可溶化させている。【０００３】      これらの消臭剤の主成分が天然から得られる植物精油などである場合、効果的な消臭効果が認められているものがあるとともに、使用者における安全性や健康への影響面でも安心度が高く、好適なものであると言える（例えば特許文献１）。しかしながら、天然精油そのものの消臭力では悪臭に対する消臭性が不十分である場合があることも事実である。
【先行技術文献】
【特許文献】
【０００４】
【特許文献１】特開２０１１−１７４０２１号広報
【発明の概要】
【発明が解決しようとする課題】
【０００５】
本発明は天然成分からなるオイル成分を含有すると共に、より悪臭に対する消臭効果を高めた消臭剤、消臭方法に関するものである。
【課題を解決するための手段】
【０００６】      発明者らは、精油成分からなる消臭剤の検討を進める過程において、精油を構成する化学成分と悪臭の原因となる化学成分の相互作用の検討を進める中で、カルボキシル基を有する悪臭成分と相互作用をする化合物があることをつきとめ、これらの特性を持つ化合物を用いた消臭実験をおこなうことにより消臭効果の高い成分の特徴を把握するに至った。【０００７】
すなわち、本発明は以下の構成からなる。
［１］カルボキシル基を有する悪臭成分に対する消臭に有効な消臭剤であって、全オイル成分の内、ヒノキ枝葉精油成分を５０％以上７７％以下含み、α−テルピネオールを２３％以上５０％以下含むとともに、消臭剤中の全オイル成分をノナン酸に重量比で１：２に混合した際、ノナン酸のみのラマンスペクトルにおいてそのカルボキシル基ピークの極大が現れる波数でノナン酸ラマンスペクトルから該混合物のラマンスペクトルを差し引いて得た差スペクトルのカルボキシル基ピークを、前記極大が現れる波数である１６５０ｃｍ−１にて２分した際、高波数側ピーク面積が低波数側ピーク面積の２．２倍以上３．１倍以下となることを特徴とするオイル成分を含むことを特徴とする消臭剤。
［２］全オイル成分の内、ヒノキ枝葉精油成分を５０％以上７７％以下含み、α−テルピネオールを２３％以上５０％以下含むとともに、消臭剤中の全オイル成分をノナン酸に重量比で１：２に混合した際、ノナン酸のみのラマンスペクトルにおいてそのカルボキシル基ピークの極大が現れる波数でノナン酸ラマンスペクトルから該混合物のラマンスペクトルを差し引いて得た差スペクトルのカルボキシル基ピークを、前記極大が現れる波数である１６５０ｃｍ−１にて２分した際、高波数側ピーク面積が低波数側ピーク面積の２．２倍以上３．１倍以下となる消臭剤を用いて、カルボキシル基を有する悪臭成分に対する消臭を行うことを特徴とする消臭方法。
【発明の効果】
【０００８】
本発明の消臭剤を使用することにより、悪臭（特にイソ吉草酸などの酸性悪臭）を有効に消臭することのできる消臭剤、消臭方法を得ることができる。
【図面の簡単な説明】
【０００９】
【図１】ノナン酸：オイル成分＝２：１混合物のラマン差スペクトル（１）：ノナン酸単独、（２）ノナン酸：ヒノキ精油：α−テルピネオール＝１０：４：１、（３）ノナン酸：ヒノキ精油：α−テルピネオール＝１０：３：２、（４）ノナン酸：α−テルピネオール＝２：１
【図２】ノナン酸：オイル成分＝２：１混合物のラマン差スペクトル（１）：ノナン酸単独、（２）ノナン酸：ヒノキ精油＝２：１
【発明を実施するための形態】
【００１０】
本発明におけるオイル成分がラマンスペクトル測定において上記の特性を示すことは、酸性悪臭成分が持つカルボン酸が特定のオイル成分と相互作用することにより、酸成分分子とオイル成分分子が接近した際に、再度離れていくよりも近くに存在する方が安定であり、臭い分子の拡散を抑える効果に繋がっているのではと推測される。この現象は、有機酸は通常カルボキシル基同士が会合した状態が安定であるためにそのラマンピークが１６００ｃｍ−１台に現れるが、この会合が切れること（すなわちオイル成分との相互作用の方が優先されること）でピークが高波数側にシフトすることで確認できる。種々のオイル成分についてこのようなラマンスペクトルの測定を行った結果と匂い袋とガス検知管による消臭実験効果を対比することで、この相互作用と消臭能力の相関が確認されたことにより本発明が確立された。
【００１１】      本発明におけるオイル成分組成物は、一般には樹木、果樹、野菜、草花等の植物から得られる。オイルを採取する部位は特に制限されず、例えば、葉、果実、果皮、花、種子、根等が挙げられる。また、オイルの採取方法も、低温真空抽出法、水蒸気蒸留法、超臨界真空抽出法等、特に制限されることはない。
【００１２】      樹木としては、特に制限はないが、例えば、ヒノキ、タイワンヒノキ、ベイヒバ、サワラ、ローソンヒノキ、チャボヒバ、クジャクヒバ、オウゴンチャボヒバ、スイリュウヒバ、イトヒバ、オウゴンヒョクヒバ、シノブヒバ、オウゴンシノブヒバ、ヒムロスギ等のヒノキ科ヒノキ属の樹木；ニオイヒバ、ネズコ等のヒノキ科クロベ属の樹木；ヒバ、アスナロ、ヒノキアスナロ、ホソバアスナロ等のヒノキ科アスナロ属の樹木；ハイビャクシン、ネズミサシ、エンピツビャクシン、オキナワハイネズ等のヒノキ科ビャクシン属の樹木；スギ、アシウスギ、エンコウスギ、ヨレスギ、オウゴンスギ、セッカスギ、ミドリスギ等のヒノキ科スギ属の樹木；トドマツ、モミ、ウラジロモミ、シラビソ、オオシラビソ、シラベ、バルサムファー、ミツミネモミ、ホワイトファー、アマビリスファー、アオトドマツ、カリフォルニアレッドファー、グランドファー、ノーブルファー等のマツ科モミ属の樹木；ヒマラヤスギ等のマツ科ヒマラヤスギ属の樹木、アカエゾマツ、トウヒ等のマツ科トウヒ属の樹木；アカマツ、ダイオウショウ、ストローブマツ、ハイマツ等のマツ科マツ属の樹木；カラマツ等のマツ科カラマツ属の樹木；ツガ等のマツ科ツガ属の樹木；コウヤマキ等のコウヤマキ科コウヤマキ属の樹木；カヤ等のイチイ科カヤ属の樹木等の針葉樹、その他キリ、ケヤキ、カエデ、カツラ、ブナ、ナラ、ユーカリ、ビャクダン、クロモジ、ニオイコブシ、ヒメコマツ、ミズメザクラ、ユズ、レモン、サンショウ等が挙げられる。特にヒノキが好ましい。これらの針葉樹の葉が好適に用いられ、間伐材や、枝打ちで得た枝葉をそのまま用いても良いが、好ましくは、粉砕機や圧砕機等により粉砕・圧砕して使用される。
【００１３】      果樹としては、リンゴ、ブドウ、ミカン、モモ、キウイフルーツ、グレープフルーツ等が挙げられ、その果実、果皮のほか、葉、根、茎等の部位も使用することもでき、搾汁後の果実や果皮等を含む残渣（搾りかす）を用いることもできる。
【００１４】      野菜としては、キャベツ小松菜、レタス、青梗菜、白菜、シソ、イチゴ等が挙げられる。また上記草花としては、イグサ、ジャスミン、クチナシ、バラ、きんもくせい、ミカンの花、ラベンダー等が挙げられる。
【００１５】      本発明の消臭剤中のオイル成分としては、上記の植物から採取された成分が含まれ得るが、それらの他に他の成分を配合してもよい。他の成分としての単独成分としては、例えば、ピネン、リモネン等の炭化水素系香料、リナロール、ゲラニオール、シトロネロール、ボルネオール、ベンジルアルコール、アニスアルコール、各種テルピネオール類、β−フェネチルアルコール等のアルコール類、アネトール、オイゲノール等のフェノール類、ｎ−ブチルアルデヒド、イソブチルアルデヒド、ヘキシルアルデヒド、シトロネラール、ベンズアルデヒド、シンナミックアルデヒド等のアルデヒド類、カルボン、メントン、樟脳、アセトフェノン、イオノン等のケトン類、γ−ブチルラクトン、クマリン、シネオール等のラクトン類、オクチルアセテート、ベンジルアセテート、シンナミルアセテート、プロピオン酸ブチル、安息香酸メチル等のエステル類が挙げられる。
【００１６】
オイル成分としては上述のようなものが挙げられるが、本発明において重要なのは、消臭剤中の全オイル成分をノナン酸に重量比で１：２に混合した際、ノナン酸のみのラマンスペクトルにおいてそのカルボキシル基ピークが現れる波数でノナン酸ラマンスペクトルから該混合物のラマンスペクトルを差し引いて得た差スペクトルのカルボキシル基ピークを２分した際、高波数側ピーク面積が低波数側ピーク面積の２倍以上となるようなオイル成分となっていることである。この範囲にあることで、悪臭成分とりわけイソ吉草酸などの酸性悪臭を消臭することに優れた消臭剤とすることができる。上記のようにノナン酸のカルボキシルピークを２分した際に、高波数側ピーク面積が低波数側ピーク面積の２．５倍以上であれば消臭効果は特に高く、３倍以上であればさらに効果が大きいと言える。消臭機能を高めるために配合するオイル成分はカルボキシル基ピークをシフトさせる効果の有るものであれば特に制限されることはない。本発明では、このカルボキシル基ピークのシフトを判断する基準となる酸成分としてノナン酸を選定している。
【００１７】    本発明の消臭剤は、上記評価法に使用したオイル成分組成物のみからなる状態で直接塗布あるいは、スプレーや超音波振動子による噴霧、あるいは吸い上げ揮散等により使用することができ、その使用方法が特に制限されることはないが、本発明のオイル成分組成物は１重量％以下の濃度で水と混合して使用することもできる。これにより簡便に使用できるスプレー剤としても利用しやすいものとなる。水と混合して使用する場合は、水以外の水溶性成分や界面活性剤を調整剤として別途含ませて使用しても構わない。
【００１８】    本発明の消臭剤は上述の特性を有するオイル成分組成物からなるものであればその由来は特に制限されることはないが、使用者における安全性や健康への影響面での安心度が高いことから、上述の植物由来のオイル成分を含むことが好ましく、天然木材から直接得られたオイル成分が全オイル成分の５０％以上で有ることが好ましく、６０％以上であればさらに好ましいと言える。
【実施例】
【００１９】    以下の実施例において、本発明を具体的に説明するが、本発明はこれらの実施例によって限定されるものではない。なお、各種測定は以下の方法のように行った。【００２０】
ラマンスペクトルの測定は、ＪＡＳＣＯ社製ＮＲＳ−１０００を用い、所定の重量比で混合したノナン酸とオイル成分を内径約１ｍｍのガラス管に封入して測定を行った。得られたスペクトルは１８００−２０００ｃｍ−１付近のベースラインが一定になるように揃え、ノナン酸単独のスペクトルからオイル成分混合スペクトルの吸光度に係数をかけてオイル成分の吸収が消えるように差スペクトルを描き、ノナン酸の吸収スペクトルの変化を評価した。ノナン酸単独の場合、１６５０ｃｍ−１付近に現れるカルボキシル基ピーク極大の波数で各オイル成分混合スペクトルのカルボキシル基ピークを２分し、高波数側領域の低端数側領域に対する面積比を算出した。
【００２１】    匂い袋とガス検知管による消臭実験は、アズワン株式会社Ｆ２（ＰＶＤＦ）バッグ１つ口キャップ付き５Ｌに、室温で飽和蒸気圧に調整したイソ吉草酸ガスを４０００ｍＬ採取して封入し、ＧＡＳＴＥＣガス検知管８１Ｌによりイソ吉草酸濃度を測定し、消臭成分試料２５・Ｌをバッグに注入した３０分後に再びガス検知管で濃度測定した。本実験ではイソ吉草酸初期濃度が測定毎で異なるため、測定後のイソ吉草酸濃度レベルも初期値に伴い変動する。このため、消臭能力は、オイル成分分子数に対して吸着されたイソ吉草酸分子数の比率をモル％単位で比較した。【００２２】実施例
ノナン酸にヒノキ精油（夢木香株式会社製「夢檜」）とα−テルピネオールの混合比を変えたオイル成分を混合してラマンスペクトルを測定した。差スペクトルの代表例を図１に、上述の高波数側領域の低端数側領域に対する面積比計算結果を表１に示す。ヒノキ精油（夢木香株式会社製「夢檜」）とα−テルピネオールの混合比を変えたオイル成分によるイソ吉草酸に対する消臭実験を行った。結果を表１に示す。【００２３】比較例
実施例と同様にしてオイル成分の混合比を変えて実験を行った。差スペクトルの代表例を図１、２に、上述の高波数側領域の低端数側領域に対する面積比計算結果を表１に示す。実施例と同様に行った消臭実験の結果を表１に示す。【００２４】
【表１】
0006577885.tif 000002
【産業上の利用可能性】
【００２５】    本発明の消臭剤はオイル成分そのものや水で希釈した状態から、スプレーや超音波振動子による噴霧、あるいは吸い上げ揮散等により使用することで悪臭発生時の消臭処理、悪臭拡散防止の他、居室、トイレ、玄関等の生活空間や衣類、ソファ、カーテン等の繊維等から悪臭発生を防ぎ、快適な生活を維持するのに貢献する。
【図１】
0006577885.tif 000003
【図２】
0006577885.tif 000004